(57)【要約】【課題】耐水性、耐久性、耐荷重性及び使い勝手などを向上させることができる扉付収納箱の提供を目的とする。【解決手段】扉付収納箱１は、樹脂製の中空板からなり、底板１２と回動可能につながっている正面扉板１１と、この正面扉板１１の左右方向の端部とつながっており、上板１４と係合することによって、正面扉板１１の回動角を規制する一対の回動規制板１７、１８とを有し、回動規制板１７に、正面扉板１１が開かれたとき、正面扉板１１と右側板１５との間を開放する切欠１７２が形成された構成としてある。【選択図】  図１
2013203446.tif 000002
【特許請求の範囲】
【請求項１】
樹脂製の中空板からなる扉付収納箱であって、
底板と回動可能につながっている正面扉板と、
この正面扉板の左右方向の端部とつながっており、前記扉付収納箱の上板と係合することによって、前記正面扉板の回動角を規制する一対の回動角規制板と
を有し、
前記一対の回動角規制板の少なくとも一つに、前記正面扉板が開かれたとき、該正面扉板と前記扉付収納箱の側板との間を開放する切欠が形成されたことを特徴とする扉付収納箱。
【請求項２】
前記上板が、係止用開口部の形成された補強板を有し、前記回動角規制板に、前記係止用開口部に係止される被係止部が形成されたことを特徴とする請求項１に記載の扉付収納箱。
【請求項３】
前記扉付収納箱が、直方体状であり、所定の形状に形成された一枚の前記中空板からなることを特徴とする請求項１又は２に記載の扉付収納箱。
【請求項４】
前記扉付収納箱が、内部に、内側右側板、内側底板及び内側左側板を有することを特徴とする請求項１〜３のいずれか一項に記載の扉付収納箱。
【請求項５】
前記扉付収納箱が、外面の所定箇所に面ファスナーを有することを特徴とする請求項１〜４のいずれか一項に記載の扉付収納箱。
【請求項６】
前記正面扉板が、矩形状の透明なシートからなるポケットを有することを特徴とする請求項１〜５のいずれか一項に記載の扉付収納箱。
【請求項７】
前記扉付収納箱が、外面を覆うカバーを有することを特徴とする請求項１〜６のいずれか一項に記載の扉付収納箱。
【発明の詳細な説明】
【技術分野】
【０００１】
本発明は、扉付収納箱に関し、特に、回動式の扉を開けて、容易に収納品を出し入れすることができる扉付収納箱に関する。
【背景技術】
【０００２】
従来、段ボール紙からなり、扉や引き出しを有するほぼ直方体状の収納箱が知られている。この収納箱は、通常、輸送や保管時などにおいては、所定の形状に形成されたシート状の段ボール紙であり、使用する場所において、組み立てられることによって、箱状体となる。
【０００３】
たとえば、特許文献１には、紙製の扉の一片を折曲げて扉枠連結片として、折曲げ線をヒンジ機構にした扉の一辺に直角な方向の少なくとも他の一辺を更に折曲げて連なる実質的にほぼ三角形状のスライドステーと、スライドステーに関係する紙製の扉枠の少なくともどちらか一方の外側面の前端を内側に折曲げた内側面の一部に設けた溝状切欠よりなり、溝状切欠にスライドステーを嵌入させたのち、連結片を両外面側に連なる扉枠に固定することにより、外側面及び内側面間の摩擦により保持されるスライドステーの扉に接続しないほぼ三角形状の他の二辺のうち長斜辺の一部に切欠を設けて三角形状の他の一辺との間にできたストッパーが溝状切欠の一端のエッジに引っ掛かって、スライドステーが溝状切欠から抜けないように構成することを特徴とする紙製扉付収納箱が開示されている。
【０００４】
また、特許文献２には、少なくとも一つの開口を有し、該開口に、開口を閉じたり開いたりするための扉を備えている段ボール製収納箱が開示されている。この段ボール製収納箱は、扉には、幅方向に貫通する穴と、該穴内に移動可能に挿入される少なくとも２本の棒と、該棒同士の間に介在される少なくとも１つのバネ部材とからなる棒状部材が取り付けられ、開口近傍の箱本体側に、棒状部材の両端を摺動又は回動可能に支えるとともに、支えられた棒状部材が抜け出さないようにする棒状部材支持部が形成されており、棒状部材は、その両端を押圧すると、全長が棒状部材支持部に挿入可能な長さとなり、押圧をやめると、全長が棒状部材支持部から容易に抜け出さない長さに復帰するように構成されている。
【先行技術文献】
【特許文献】
【０００５】
【特許文献１】実開平４−３８９２８号公報
【特許文献２】実用新案登録第３０９７３０６号公報
【発明の概要】
【発明が解決しようとする課題】
【０００６】
しかしながら、上述した特許文献１、２に記載された収納箱は、素材が紙であるために、耐水性、耐久性及び耐荷重性などを向上させることができないといった問題があった。
また、回動式の扉を開けて、収納品を出し入れする際、容易に収納品を出し入れすることができるといった使い勝手を向上させることも要望されていた。
【０００７】
本発明は、以上のような問題を解決するために提案されたものであり、耐水性、耐久性、耐荷重性及び使い勝手などを向上させることができる扉付収納箱の提供を目的とする。
【課題を解決するための手段】
【０００８】
上記目的を達成するため、本発明の扉付収納箱は、樹脂製の中空板からなる扉付収納箱であって、底板と回動可能につながっている正面扉板と、この正面扉板の左右方向の端部とつながっており、扉付収納箱の上板と係合することによって、正面扉板の回動角を規制する一対の回動角規制板とを有し、一対の回動角規制板の少なくとも一つに、前記正面扉板が開かれたとき、該正面扉板と前記扉付収納箱の側板との間を開放する切欠が形成された構成としてある。
【発明の効果】
【０００９】
本発明の扉付収納箱によれば、素材として樹脂製の中空板を用いることによって、耐水性、耐久性及び耐荷重性を向上させることができ、さらに、一対の回動角規制板の少なくとも一つに切欠を形成することによって、収納品の出し入れが容易となり、使い勝手を向上させることができる。
【図面の簡単な説明】
【００１０】
【図１】図１は、本発明の第一実施形態にかかる扉付収納箱を説明するための概略図であり、（ａ）は正面図を示しており、（ｂ）は正面扉板を開いた状態の斜視図を示している。
【図２】図２は、本発明の第一実施形態にかかる扉付収納箱の概略展開図を示している。
【図３】図３は、本発明の第一実施形態にかかる扉付収納箱の動作を説明するための概略図であり、（ａ）は閉状態における図１のＡ−Ａ断面図を示しており、（ｂ）は開状態における図１のＡ−Ａ断面図を示している。
【図４】図４は、本発明の第二実施形態にかかる扉付収納箱を説明するための概略図であり、（ａ）は正面図を示しており、（ｂ）は正面扉板を開いた状態の斜視図を示している。
【図５】図５は、本発明の第二実施形態にかかる扉付収納箱の内側右側板、内側底板及び内側左側板の概略展開図を示している。
【発明を実施するための形態】
【００１１】
［第一実施形態］
図１は、本発明の第一実施形態にかかる扉付収納箱を説明するための概略図であり、（ａ）は正面図を示しており、（ｂ）は正面扉板を開いた状態の斜視図を示している。
また、図２は、本発明の第一実施形態にかかる扉付収納箱の概略展開図を示している。
図１、２において、本実施形態の扉付収納箱１は、樹脂製の中空板からなる収納箱であり、扉としての正面扉板１１、底板１２、背面板１３、上板１４、右側板１５、左側板１６、回動規制板１７及び回動規制板１８などを有している。
【００１２】
上記の中空板とは、中空構造をなすための立体加工が施されたコア材と、このコア材の表裏両面に積層された平板状の外装材とを有する板をいう。この中空板として、例えば、図示してないが、中空状に膨出する多数の突起が形成されたキャップシートと、前記突起の開口側に積層されたバックシートと、前記突起の頂面側に積層されたライナーシートとを備え、これらを熱融着により積層一体化し、空気を密封した３層構造中空積層板などが挙げられる。
【００１３】
扉付収納箱１は、素材として、樹脂製の中空板が用いられているので、段ボール紙などの紙製の収納箱と比べると、耐水性、耐久性及び耐荷重性（剛性又は機械的強度と呼ぶこともできる。）を大幅に向上させることができ、また、木製の収納箱と比べると、軽量化を図ることができ、さらに、断熱性や衝撃吸収性を向上させることができる。したがって、扉付収納箱１は、商品としての付加価値を向上させることができ、木製、紙製、金属製などの収納箱に対して、新たなシーズを提供することができる。
なお、中空板は、通常、全てが樹脂からなるが、これに限定されるものではなく、例えば、外装材が金属、セラミック、紙等を含む構成であってもよい。
【００１４】
また、扉付収納箱１は、ほぼ直方体状であり、図２に示すように、所定の形状に形成された一枚の中空板からなる。
すなわち、一枚の中空板は、ほぼ矩形状の正面扉板１１、底板１２、背面板１３及び上板１４が、正面側から背面側に向かって順につながっており、背面板１３の右側には、ほぼ矩形状の右側板１５がつながっており、背面板１３の左側には、ほぼ矩形状の左側板１６がつながっている。
また、右側板１５及び左側板１６の背面側には、上板１４をほぼ二等分した形状の上板補強板１５１及び上板補強板１６１がそれぞれつながっており、右側板１５及び左側板１６の正面側には、底板１２をほぼ二等分した形状の底板補強板１５４及び底板補強板１６４がそれぞれつながっている。
さらに、正面扉板１１の右側には回動規制板１７がつながっており、正面扉板１１の左側には、回動規制板１８がつながっている。
【００１５】
また、図２において、破線は折り線を示しており、例えば、図示してないが、紙面の上方からホットバー（加熱された棒状部材とも呼ばれる。）を中空板に押し付けることにより、Ｖ字状の溝が形成されている。
これにより、中空板は、容易に折り曲げられるとともに、正面扉板１１と底板１２との境界部（上記の溝が形成されている部分）は、ヒンジとして機能し、多数回の正面扉板１１の開閉、すなわち、多数回の正面扉板１１の回動に耐えることができる。
【００１６】
ここで、好ましくは、回動規制板１７と正面扉板１１との間のＶ字状の溝、及び、回動規制板１８と正面扉板１１との間のＶ字状の溝は、他のＶ字状の溝より浅い溝であるとよい。
このようにすると、回動規制板１７、１８は、他の部材と同様に約９０°折り曲げられて使用されるものの、回動規制板１７には、右側板１５の方向に付勢力が作用するので、回動規制板１７は、右側板１５と接触する状態を維持することができ、回動規制板１８は、同様の理由によって、左側板１６と接触する状態を維持することができる。したがって、回動規制板１７、１８は、約９０°を超えて折り曲がってしまい、回動を規制できなくなるといった不具合などを回避することができる。
なお、図２に示す中空板は、概略であり、組み立てる際、中空板の板厚に起因する干渉が発生しない形状としてある。また回動規制板１７、１８などの構造については、後述する。
【００１７】
上記構造の中空板は、まず、底板補強板１５４、１６４が折り曲げられ、次に、右側板１５及び左側板１６が折り曲げられ、続いて、底板１２を基準として、背面板１３が折り曲げられる。次に、回動規制板１７、１８が折り曲げられ、続いて、底板１２を基準として、正面扉板１１が折り曲げられる。続いて、上板補強板１５１、１６１が折り曲げられ、次に、上板１４が折り曲げられる。
そして、上板補強板１５１、１６１と上板１４とは、例えば、図１（ａ）、図３（ｂ）に示すように、下方からホットピン（図示してないが、加熱されたピン状部材とも呼ばれる。）を中空板に押し付けることにより、１２箇所の溶着部１９が形成されることによって、接合される。また、底板補強板１５４、１６４と底板１２とは、例えば、図３（ａ）に示すように、下方からホットピンを中空板に押し付けることにより、１２箇所の溶着部１９が形成されることによって、接合される。
このように、扉付収納箱１は、所定の形状に形成された一枚の中空板を折り曲げて接合することによって、容易に組み立てられる。
なお、溶着部１９が形成される位置や数量などは、上記に限定されるものではなく、適宜、設定される。
【００１８】
正面扉板１１は、上述したように、底板１２と回動可能につながっており、取手として、ほぼ長円形状の開口部１１１が上部に形成されている。
また、開口部１１１の下方には、矩形状の透明なシートからなるポケット１１２が取り付けられている。
具体的には、ポケット１１２は、ほぼ矩形状の二枚の透明なシートからなり、これら二枚のシートは、重ねられた状態で、右側端部、下側端部及び左側端部が溶着されており、上側端部が出し入れ口として開口されている。また、ポケット１１２は、背面側のシートの上側端部が、正面側のシートより上方に出ており、ガイド面として機能するので、紙などをスムースに収めることができる。
このポケット１１２には、例えば、収納品に関する情報が記載された紙などが収められ、扉付収納箱１の使い勝手などを向上させることができる。
なお、本実施形態のポケット１１２は、ほぼ矩形状の二枚の透明なシートからなる構成としてあるが、これに限定されるものではなく、例えば、図示してないが、ほぼ矩形状の一枚の透明なシートを用い、このシートの右側端部、下側端部及び左側端部を正面扉板１１に接着してもよい。
【００１９】
また、正面扉板１１は、内側の面（ポケット１１２が設けられた面と反対側の面）の上部の二箇所に、鉄などの磁性を有する金属板（図示せず）が取り付けられており、また、上板補強板１５１、１６１は、図１（ｂ）に示すように、下面に磁石１５３、１６３がそれぞれ取り付けられている。そして、これらの磁石１５３、１６３及び金属板は、正面扉板１１の閉状態を保持する保持手段として機能し、正面扉板１１が閉められると、上板補強板１５１、１６１が金属板を吸着し、正面扉板１１の閉状態を保持する。
なお、本実施形態では、保持手段として、磁石１５３、１６３などを用いる構成としているが、これに限定されるものではなく、例えば、面ファスナーなどを用いる構成としてもよい。
【００２０】
回動規制板１７、１８は、上述したように、正面扉板１１の左右方向の端部とつながっており、扉付収納箱１の背面板１３と係合することによって、後述するように、正面扉板１１の回動角を規制する。
回動規制板１８は、ほぼ台形状としてあり、該台形の斜辺と上辺との角部に、鋸の刃のような形状の被係止部１８１が形成されている。この被係止部１８１は、回動規制板１７の被係止部１７１と同じ形状であり、後述する被係止部１７１と同様に機能する。
【００２１】
また、回動規制板１７は、後述するように、正面扉板１１が開かれたとき、正面扉板１１と右側板１５との間を開放する切欠１７２が形成されている。
具体的には、回動規制板１７は、回動規制板１８と比べると、図２において、正面側から背面側に向かって三つの辺を有する切欠１７２が形成されており、回動規制板１７の背面側の部分が正面扉板１１とつながっている点が相違し、他の構造は、回動規制板１８とほぼ同様としてある。
なお、切欠１７２の形状は、上記の形状に限定されるものではなく、例えば、背面側の一つの辺の代わりに、二点鎖線で示す円弧状としてもよく、このようにすると、三つの辺の角部に作用する応力集中を緩和でき、機械的強度を向上させることができる。
【００２２】
次に、上記構成の扉付収納箱１の動作などについて、図面を参照して説明する。
図３は、本発明の第一実施形態にかかる扉付収納箱の動作を説明するための概略図であり、（ａ）は閉状態における図１のＡ−Ａ断面図を示しており、（ｂ）は開状態における図１のＡ−Ａ断面図を示している。
図３（ａ）において、扉付収納箱１は、正面扉板１１が閉じられた状態にあり、回動規制板１７の下方の縁部は、通常、底板補強板１５４と接触している。また、図示してないが、回動規制板１８の下方の縁部は、同様に、底板補強板１６４と接触している。
なお、扉付収納箱１は、上述した保持手段によって、正面扉板１１が閉じられた状態を保持している。
【００２３】
次に、利用者が開口部１１１に手を掛け、保持手段に抗して正面扉板１１を正面側に引くと、図３（ｂ）に示すように、正面扉板１１は、正面扉板１１と底板１２との境界部がヒンジとして機能して、回動し開いた状態となる。
この際、回動規制板１７の被係止部１７１は、上板１４の下面と当接して係合し、正面扉板１１がこれ以上開かないように、正面扉板１１の回動角を規制する。さらに、回動規制板１７は、正面扉板１１が開かれたとき、正面扉板１１と右側板１５との間を開放する切欠１７２が形成されているので、右側方向から切欠１７２を通して収納品（図示せず）の出し入れを行うことができ、収納品の出し入れが容易となり、使い勝手を向上させることができる。
また、切欠１７２は、斜辺が右側板１５の正面側の端面より出っ張っておらず、ほぼ同じ位置にあるので、収納品の出し入れを容易に行うことができ、さらに、美観を損なうことも回避することができる。
【００２４】
また、図示してないが、回動規制板１８の被係止部１８１は、同様に、上板１４の下面と当接して係合し、正面扉板１１がこれ以上開かないように、正面扉板１１の回動角を規制する。
なお、本実施形態では、回動規制板１７にのみ切欠１７２を形成する構成としてあるが、これに限定されるものではなく、例えば、図示してないが、回動規制板１８にのみ切欠を形成したり、あるいは、回動規制板１７及び回動規制板１８に切欠を形成してもよい。
【００２５】
ここで、好ましくは、正面扉板１１が、細長い矩形状の係止用開口部１５２の形成された上板補強板１５１、及び、細長い矩形状の係止用開口部１６２の形成された上板補強板１６１を有しており、回動規制板１７、１８に、係止用開口部１５２、１６２に係止される被係止部１７１、１８１が形成されているとよい。
すなわち、図３（ｂ）に示すように、被係止部１７１は、係止用開口部１５２に進入し、被係止部１７１の正面側の先端が、係止用開口部１５２の正面側の端部と当接して係止される。
被係止部１７１は、上述したように、上板１４の下面と当接して係合し、正面扉板１１の回動角を規制しているが、この係止によっても、正面扉板１１がこれ以上開かないように、正面扉板１１の回動角を規制することができるので、より強固に正面扉板１１の回動角を規制することができ、扉付収納箱１の機械的強度を向上させることができる。
【００２６】
以上説明したように、本実施形態の扉付収納箱１によれば、素材として樹脂製の中空板を用いることによって、耐水性、耐久性及び耐荷重性を向上させることができ、商品としての付加価値を向上させることができる。
さらに、回動規制板１７に切欠１７２を形成することによって、収納品の出し入れが容易となり、使い勝手を向上させることができる。
【００２７】
［第二実施形態］
図４は、本発明の第二実施形態にかかる扉付収納箱を説明するための概略図であり、（ａ）は正面図を示しており、（ｂ）は正面扉板を開いた状態の斜視図を示している。
図４において、本実施形態の扉付収納箱１ａは、上述した第一実施形態の扉付収納箱１と比べると、内部に、内側右側板２１、内側底板２２及び内側左側板２３を有する点、及び、外面を覆うカバー３を有する点などが相違する。なお、本実施形態の他の構成は、扉付収納箱１とほぼ同様としてある。
したがって、図４において、図１と同様の構成部分については同一の符号を付して、その詳細な説明を省略する。
【００２８】
上記の内側右側板２１、内側底板２２及び内側左側板２３は、図５に示すように、所定の形状に形成された一枚の中空板からなる。すなわち、この中空板は、ほぼ矩形状の内側右側板２１、内側底板２２及び内側左側板２３が、右側から左側に向かって順につながっている。
また、図５において、破線は折り線を示しており、例えば、図示してないが、紙面の上方からホットバー（加熱された棒状部材とも呼ばれる。）を中空板に押し付けることにより、Ｖ字状の浅い溝が形成されている。これにより、中空板は、容易に折り曲げられるとともに、扉付収納箱１ａの内部に収められた際、内側右側板２１は右側板１５の方向に付勢され、また、内側左側板２３は左側板１６の方向に付勢されるので、例えば、内側右側板２１が左側板１６の方向に倒れて、収納スペースに悪影響を及ぼすといった不具合を効果的に排除することができる。
【００２９】
上記の中空板は、内側右側板２１が回動規制板１７と接触する状態、内側底板２２が底板補強板１５４、１６４と接触する状態、及び、内側左側板２３が回動規制板１８と接触する状態で、扉付収納箱１ａ内に収められる。
そして、図示してないが、内側底板２２は、四隅において、下方からホットピンが押し付けられ、底板補強板１５４、１６４に接合され、容易に組み立てられる。
【００３０】
また、組み立てられた状態において、内側右側板２１は、上側の端面が上板補強板１５１と接触し、背面側の端面が背面板１３と接触し、正面側の端面が正面扉板１１と接触する。さらに、内側底板２２は、背面側の端面が背面板１３と接触し、正面側の端面が正面扉板１１と接触する。また、内側左側板２３は、上側の端面が上板補強板１６１と接触し、背面側の端面が背面板１３と接触し、正面側の端面が正面扉板１１と接触する。
すなわち、扉付収納箱１ａは、内部に、内側右側板２１、内側底板２２、内側左側板２３、背面板１３、上板補強板１５１、１６１、及び、正面扉板１１で囲まれた収納スペースを有している。
【００３１】
これに対し、上述した扉付収納箱１は、内部に、右側板１５、底板補強板１５４、底板補強板１６４、左側板１６、背面板１３、上板補強板１５１、１６１、及び、正面扉板１１で囲まれた収納スペースを有しており、この収納スペース内で、回動規制板１７及び回動規制板１８が回動する。このため、収納品が縦置きされるビンなどの場合には、正面扉板１１をスムースに閉めることができるが、収納品が上方に重ねて載置される書類などの場合には、図示してないが、正面扉板１１を閉める際、書類などの収納品が、回動規制板１７の下方の縁部と底板補強板１５４との間に挟まれると、正面扉板１１を閉めることができなくなる（図３（ｂ）参照）。
このように、扉付収納箱１ａは、収納品が上方に重ねて載置される書類などの場合であっても、収納品が回動規制板１７、１８の下方の縁部と干渉しないので、正面扉板１１を常にスムースに閉めることができ、使い勝手を向上させることができる。
【００３２】
また、扉付収納箱１ａは、外面を覆うカバー３を有している。
すなわち、カバー３は、右側板１５を覆う右側板３１、上板１４を覆う上板３２、及び、左側板１６を覆う左側板３３を有している。上記の右側板３１、上板３２及び左側板３３は、所定の形状に形成された一枚の中空板からなり、この中空板は、図示してないが、ほぼ矩形状の右側板３１、上板３２及び左側板３３が、右側から左側に向かって順につながっており、例えば、ホットバーによって、Ｖ字状の溝が形成されており、容易に折り曲げられる。
【００３３】
上記のカバー３は、右側板３１、上板３２及び左側板３３が、各四隅において、外側からホットピン（図示せず）が押し付けられ、それぞれ右側板１５、上板１４及び左側板１６に接合され、容易に組み立てられる。
このように、扉付収納箱１ａは、カバー３を設けることにより、機械的強度を向上させることができ、さらに、例えば、正面扉板１１の中空板の色が青色のとき、カバー３の中空板の色を黄色とすることができ、扉付収納箱１ａをカラフルに装飾することができ、商品としての付加価値を向上させることができる。
【００３４】
また、好ましくは、扉付収納箱１ａは、外面の所定箇所に面ファスナー４を有するとよい。
すなわち、扉付収納箱１ａは、右側板３１、上板３２、左側板３３、背面板１３、及び、底板１２の四隅に円形の面ファスナー４を取り付けてある。このようにすると、扉付収納箱１ａを上方に積み重ねて連結したり、左右方向に並べて連結したり、あるいは、背面板１３どうしを連結させることができ、扉付収納箱１ａの使い勝手を向上させることができる。
【００３５】
なお、本実施形態では、所定箇所を、右側板３１、上板３２、左側板３３、背面板１３、及び、底板１２の四隅としてあるが、これに限定されるものではなく、適宜、設定されてもよい。
また、面ファスナー４として、通常、フックとループの両方が植え込まれたものが用いられ、フック面とループ面との取り付け間違いを防止するとともに、例えば、扉付収納箱１ａの上板３２に、他の扉付収納箱１ａの左側板３３を連結させることができ、連結の自由度を向上させることができる。
また、面ファスナー４は、フックとループの両方が植え込まれたものに限定されるものではなく、例えば、上板３２及び左側板３３にループ面の面ファスナー４を取り付け、底板１２及び右側板３１にフック面の面ファスナー４を取り付けてもよい。
【００３６】
さらに好ましくは、右側板３１、上板３２及び左側板３３などに取り付けられる面ファスナー４は、露出した溶着部１９を覆うように取り付けられるとよく、このようにすると、扉付収納箱１ａの審美性を向上させることができる。
なお、他の構成や動作などは、上述した実施形態とほぼ同様としてある。
【００３７】
以上説明したように、本実施形態の扉付収納箱１ａによれば、第一実施形態の扉付収納箱１とほぼ同様の効果を奏するとともに、収納品が上方に重ねて載置される書類などの場合であっても、正面扉板１１を常にスムースに閉めることができ、使い勝手を向上させることができる。さらに、カバー３や面ファスナー４を有することによって、機械的強度や商品としての付加価値などを向上させることができる。
【００３８】
以上、本発明の扉付収納箱について、好ましい実施形態を示して説明したが、本発明に係る扉付収納箱は、上述した実施形態にのみ限定されるものではなく、本発明の範囲で種々の変更実施が可能であることは言うまでもない。
例えば、扉付収納箱１は、ほぼ直方体状としてあるが、これに限定されるものではない。すなわち、正面扉板１１、回動規制板１７及び回動規制板１８の機能を満足する限り、扉付収納箱１は、様々な構造であってもよく、たとえば、図示してないが、扉付収納箱１の背面板１３は、背面側に突き出た形状であってもよい。
【符号の説明】
【００３９】
１、１ａ  扉付収納箱
３  カバー  
４  面ファスナー  
１１  正面扉板  
１２  底板  
１３  背面板  
１４  上板
１５  右側板
１６  左側板
１７  回動規制板
１８  回動規制板
１９  溶着部
２１  内側右側板  
２２  内側底板  
２３  内側左側板  
３１  右側板  
３２  上板  
３３  左側板  
１１１  開口部
１１２  ポケット
１５１  上板補強板
１５２  係止用開口部
１５３  磁石
１５４  底板補強板
１６１  上板補強板
１６２  係止用開口部
１６３  磁石
１６４  底板補強板
１７１  被係止部
１７２  切欠
１８１  被係止部
【図１】
2013203446.tif 000003
【図２】
2013203446.tif 000004
【図３】
2013203446.tif 000005
【図４】
2013203446.tif 000006
【図５】
2013203446.tif 000007